(57)【要約】【課題】着信側電話機の電話番号に応じて、より適切に通話経路を形成することができる通信システム及びＶｏＩＰアダプタを提供する。【解決手段】第１のネットワークの加入端末であり、第１のＶｏＩＰアダプタを介して第１のネットワークに接続可能な第１の電話機と、第２のネットワークの加入端末であり、第２のＶｏＩＰアダプタを介して第２のネットワークに接続可能な第２の電話機とを第３のネットワークを介して通話経路を形成させる通信システムであって、第１の電話機から第２の電話機への呼び出しを検知すると第１の電話機を第３のネットワークに接続する第１のＶｏＩＰアダプタと、第３のネットワークと第２の電話機とを接続する第２のＶｏＩＰアダプタと、呼び出し処理の実行の際、第１のＶｏＩＰアダプタと第２のＶｏＩＰアダプタとを第３のネットワークに接続するための接続情報を第１のＶｏＩＰアダプタに取得させる呼出情報提供手段とを含む。【選択図】        図２
2007180737.tif 000002
【特許請求の範囲】
【請求項１】
第１のネットワークの加入端末であるとともに、第１のＶｏＩＰアダプタを介して前記第１のネットワークに接続可能な第１の電話機と、
第２のネットワークの加入端末であるとともに、第２のＶｏＩＰアダプタを介して前記第２のネットワークに接続可能な第２の電話機と、
を第３のネットワークを介して通話経路を形成させる通信システムであって、
前記第１の電話機から前記第１のネットワークの任意の加入端末への呼び出しを検知すると前記第１の電話機と前記第１のネットワークとを接続するとともに、前記第１の電話機から前記第２の電話機への呼び出しを検知すると前記第１の電話機を前記第３のネットワークに接続することが可能な前記第１のＶｏＩＰアダプタと、
前記第２のネットワークから前記第２の電話機への接続要求を検知すると前記第２の電話機と前記第２のネットワークとを接続するとともに、前記第３のネットワークから前記第２の電話機への接続要求を検知すると前記第３のネットワークと前記第２の電話機とを接続する前記第２のＶｏＩＰアダプタと、
前記第１の電話機から前記第２の電話機への呼び出し処理の実行の際、前記第１のＶｏＩＰアダプタと前記第２のＶｏＩＰアダプタとを前記第３のネットワークに接続するための接続情報を前記第１のＶｏＩＰアダプタに取得させる呼出情報提供手段と、
を含むことを特徴とする通信システム。
【請求項２】
請求項１に記載の通信システムであって、
前記第１の電話機から前記第２の電話機への呼び出し処理の実行の際、
前記第１のＶｏＩＰアダプタは、前記呼出情報提供手段からの接続情報を取得できなかった場合、前記第１の電話機を前記第１のネットワークに接続する、
ことを特徴とする通信システム。
【請求項３】
請求項１または２に記載の通信システムにて用いるＶｏＩＰアダプタであって、
接続された電話機からの呼び出し相手の電話番号に応じたネットワーク情報を含む前記接続情報を呼出情報提供手段から取得する接続先情報取得手段と、
取得した接続情報に含まれているネットワーク情報に基づいて、前記電話機からの呼び出し相手の電話番号に応じた接続先のネットワークを選択する接続先選択手段と、
呼び出しの際に選択したネットワークに前記電話機を接続可能であるとともに、着信の際にネットワークからの接続要求に応じて当該ネットワークに前記電話機を接続可能な接続手段とを備える、
ことを特徴とするＶｏＩＰアダプタ。
【発明の詳細な説明】
【技術分野】
【０００１】
本発明は、通信システム、特にインターネットを利用したいわゆるＩＰ電話に関する。
【背景技術】
【０００２】
近年では、ＩＰ網にて音声通信を行うＶｏＩＰ（Voice  over  ＩＰ）アダプタを用いて、従来の回線交換型の電話網（ＰＳＴＮ）を経由せずに、パケット交換型のＩＰ網を経由させることで通話料金を削減する、いわゆるＩＰ電話が普及している。
しかし、従来の電話網では通話可能であるが、ＩＰ網では通話を行うことが不可能な電話番号が存在している（例えば電話網の加入端末ではあるが、ＩＰ網の加入端末でない電話機等）。そこで、ＶｏＩＰアダプタは、電話番号に応じて通話経路を電話網あるいはＩＰ網に切り換えている。なお、電話網とＩＰ網では送受信されるデータ形式及びプロトコルが異なるため、ＶｏＩＰアダプタは各々のデータ形式及びプロトコルに変換して音声通信を行う。
【０００３】
例えば特許文献１に記載した従来技術では、ＶｏＩＰアダプタは通話経路を電話網（ＰＳＴＮ）とＩＰ網のいずれかに切り換えている。また、ＶｏＩＰアダプタに接続された着信側電話機が呼に応答しなかった場合、当該着信側電話機に対応させた通知先に、呼の発信者情報を送信することで、着信があったことを通知するＶｏＩＰアダプタが提案されている。
【特許文献１】特開２００４−０４０５４１号公報
【発明の開示】
【発明が解決しようとする課題】
【０００４】
現在では、複数の通信事業者による複数のＩＰ電話サービスが提供されている。そして同一の通信事業者のＩＰ電話サービスに加入している電話機同士では通話料金が無料であるのが一般的である。しかし、異なる通信事業者のＩＰ電話サービスに加入している電話機同士では、発信側の通信事業者のＩＰ網から着信側の通信事業者のＩＰ網へと乗り入れるため、通話料金が発生することが一般的である。
特許文献１に記載した従来技術では、電話網とＩＰ網とを切り換えることはできるが、複数のＩＰ網の中から適切なＩＰ網を選択することはできない（実際のＩＰ網は、通信事業者毎のＩＰ網がある）。
本発明は、このような点に鑑みて創案されたものであり、着信側電話機の電話番号に応じて、より適切に通話経路を形成することができる通信システム及びＶｏＩＰアダプタを提供することを課題とする。
【課題を解決するための手段】
【０００５】
上記課題を解決するための手段として、本発明の第１発明は、請求項１に記載されたとおりの通信システムである。
請求項１に記載の通信システムは、第１のネットワークの加入端末であるとともに、第１のＶｏＩＰアダプタを介して前記第１のネットワークに接続可能な第１の電話機と、第２のネットワークの加入端末であるとともに、第２のＶｏＩＰアダプタを介して前記第２のネットワークに接続可能な第２の電話機と、を第３のネットワークを介して通話経路を形成させる通信システムである。
前記第１の電話機から前記第１のネットワークの任意の加入端末への呼び出しを検知すると前記第１の電話機と前記第１のネットワークとを接続するとともに、前記第１の電話機から前記第２の電話機への呼び出しを検知すると前記第１の電話機を前記第３のネットワークに接続することが可能な前記第１のＶｏＩＰアダプタと、前記第２のネットワークから前記第２の電話機への接続要求を検知すると前記第２の電話機と前記第２のネットワークとを接続するとともに、前記第３のネットワークから前記第２の電話機への接続要求を検知すると前記第３のネットワークと前記第２の電話機とを接続する前記第２のＶｏＩＰアダプタと、前記第１の電話機から前記第２の電話機への呼び出し処理の実行の際、前記第１のＶｏＩＰアダプタと前記第２のＶｏＩＰアダプタとを前記第３のネットワークに接続するための接続情報を前記第１のＶｏＩＰアダプタに取得させる呼出情報提供手段とを含む。
【０００６】
また、本発明の第２発明は、請求項２に記載されたとおりの通信システムである。
請求項２に記載の通信システムは、請求項１に記載の通信システムであって、前記第１の電話機から前記第２の電話機への呼び出し処理の実行の際、前記第１のＶｏＩＰアダプタは、前記呼出情報提供手段からの接続情報を取得できなかった場合、前記第１の電話機を前記第１のネットワークに接続する。
【０００７】
また、本発明の第３発明は、請求項３に記載されたとおりのＶｏＩＰアダプタである。
請求項３に記載のＶｏＩＰアダプタは、請求項１または２に記載の通信システムにて用いるＶｏＩＰアダプタであって、接続された電話機からの呼び出し相手の電話番号に応じたネットワーク情報を含む前記接続情報を呼出情報提供手段から取得する接続先情報取得手段と、取得した接続情報に含まれているネットワーク情報に基づいて、前記電話機からの呼び出し相手の電話番号に応じた接続先のネットワークを選択する接続先選択手段と、呼び出しの際に選択したネットワークに前記電話機を接続可能であるとともに、着信の際にネットワークからの接続要求に応じて当該ネットワークに前記電話機を接続可能な接続手段とを備える。
【発明の効果】
【０００８】
請求項１に記載の通信システムを用いれば、第１のＶｏＩＰアダプタは、第１のネットワーク（例えば第１のＩＰ網）の任意の加入端末を呼び出す場合は第１の電話機を第１のネットワークに接続し、第２のネットワーク（例えば第２のＩＰ網）の加入端末である第２の電話機を呼び出す場合は呼出情報提供手段から取得した接続情報に基づいて、第１の電話機を第１のネットワークに接続せずに第３のネットワーク（例えば第３のＩＰ網）に接続する。
このように、呼び出しの電話番号に応じて、より適切な通話経路を形成することができる。
【０００９】
また、請求項２に記載の通信システムを用いれば、例えば第３のネットワークに障害等が発生して接続情報を取得できない場合、第３のネットワークからの呼び出しを行わずに第１のネットワークから第２の電話機を呼び出すことができるので、信頼性をより向上させることができる。
【００１０】
また、請求項３に記載のＶｏＩＰアダプタを用いれば、呼び出し（着信側電話機の電話番号）に応じて、より適切に通話経路を形成することができるＶｏＩＰアダプタを適切に実現することができる。
【発明を実施するための最良の形態】
【００１１】
以下に本発明を実施するための最良の形態を図面を用いて説明する。図１は、本発明のＶｏＩＰアダプタ７４、８４を用いた通信システムの全体構成の一実施の形態を示している。本発明の通信システムは、ＩＰ電話を利用可能な従来の通信システムに、本発明のＶｏＩＰアダプタ７４及び８４を追加したものである。
●［全体構成（図１）］
図１において、例えば電話機７２ａ〜７２ｎは企業Ａ本社７０の電話機であり、電話機８２ａ〜８２ｎは企業Ａ支社８０の電話機である。電話機７２ａ〜７２ｎは第１のネットワーク１０（例えば第１の通信事業者１０ＺのＩＰ網）の加入端末であり、第１の構内交換機（ＰＢＸ）７３、第１のＶｏＩＰアダプタ７４、第１のルータ７５、第１のサーバ１０Ｓ等を介して、第１のネットワーク１０（例えば第１の通信事業者１０ＺのＩＰ網）または第３のネットワーク３０（例えば第３の通信事業者３０ＺのＩＰ網）または電話網４０（例えばＰＳＴＮ、携帯電話網）に接続される。パーソナルコンピュータ（以下、ＰＣと記載する）７７ａ〜７７ｎは第１のネットワーク１０の加入端末であり、ＨＵＢ７６を介して第１のルータ７５に接続されている。
同様に電話機８２ａ〜８２ｎは第２のネットワーク２０（例えば第２の通信事業者２０ＺのＩＰ網）の加入端末であり、第２の構内交換機（ＰＢＸ）８３、第２のＶｏＩＰアダプタ８４、第２のルータ８５、第２のサーバ２０Ｓ等を介して、第２のネットワーク２０（例えば第２の通信事業者２０ＺのＩＰ網）または第３のネットワーク３０（例えば第３の通信事業者３０ＺのＩＰ網）または電話網４０（例えばＰＳＴＮ、携帯電話網）に接続される。ＰＣ８７ａ〜８７ｎは第２のネットワーク２０の加入端末であり、ＨＵＢ８６を介して第２のルータ８５に接続されている。
【００１２】
ここで第１のルータ７５、第２のルータ８５の動作について、第１のルータ７５を例として説明する。図５（Ａ）は、電話機７２ａ〜７２ｎ、ＰＣ７７ａ〜７７ｎからデータを第１のネットワーク１０に送信する場合における第１のルータ７５の動作を説明する図であり、図５（Ｂ）は、電話機７２ａ〜７２ｎ、ＰＣ７７ａ〜７７ｎがデータを第１のネットワーク１０から受信する場合における第１のルータ７５の動作を説明する図である。なお図５（Ａ）及び（Ｂ）は、本発明の第１のＶｏＩＰアダプタ７４（第２のＶｏＩＰアダプタ８４）を追加する前の従来の通信システムの例を示している。
図５（Ａ）に示す送信の場合、例えば電話機７２ａからの音声データは、第１の構内交換機７３を介して（経路Ｌａｒから）第１のルータ７５に入力される。第１のルータ７５では、（経路Ｌａｒから）入力された音声データをデータ変換手段７５ｂを用いてパケットデータに変換して送信手段７５ａから第１のサーバ１０Ｓに送信する。またＰＣ７７ａからのパケットデータは、（経路Ｌｄｒから）第１のルータ７５に入力されると、送信手段７５ａから第１のサーバ１０Ｓに送信される。そして第１のサーバ１０Ｓは、電話機７２ａ〜７２ｎからのパケットデータは第１のネットワーク１０または電話網４０に送出し、ＰＣ７７ａ〜７７ｎのパケットデータは第３のネットワーク３０に送出する。
図５（Ｂ）に示す受信の場合、例えば電話機７２ａ宛てのパケットデータを第１のルータ７５が第１のサーバ１０Ｓから受信し、受信手段７５ａが電話機７２ａ宛てのパケットデータであることを判定すると、当該パケットデータをデータ変換手段７５ｂに入力して音声データに変換（復元）する。変換された音声データは、（経路Ｌａｒから）第１の構内交換機７３を介して電話機７２ａに届けられる。また、ＰＣ７７ａ宛てのパケットデータを第１のルータ７５が第１のサーバ１０Ｓから受信し、受信手段７５ａがＰＣ７７ａ宛てのパケットデータであることを判定すると、当該パケットデータを（経路Ｌｄｒから）ＨＵＢ７６を介してＰＣ７７ａに送信する。
このように、本実施の形態における第１のルータ７５（第２のルータ８５）は、一般的なルーティング機能に加えてＶｏＩＰ機能（上記のデータ変換手段７５ｂの機能）も兼ね備えており、ネットワークと端末を接続するインターフェース装置としての動作を行う。なお、第２のルータ８５も第１のルータ７５と同様の動作をする。
【００１３】
また電話機４３は、例えば固定電話であり、電話機７２ａを発信側として電話機７２ａと電話機４３とで通話を行う場合の通話経路は、電話機７２ａ、第１の構内交換機７３、第１のＶｏＩＰアダプタ７４、第１のルータ７５、第１のサーバ１０Ｓ、電話網４０、電話機４３という経路で形成される。
また電話機４２は、例えば携帯電話であり、電話機４２を発信側として電話機４２と電話機７２ａとで通話を行う場合の通話経路は、電話機４２、中継装置４１、電話網４０（携帯電話網）、第１のサーバ１０Ｓ、第１のルータ７５、第１のＶｏＩＰアダプタ７４、第１の構内交換機７３、電話機７２ａという経路で形成される。
【００１４】
ここで、電話機７２ａ〜７２ｎが第１のネットワーク１０（例えば第１の通信事業者１０ＺのＩＰ網）の加入端末であり、電話機８２ａ〜８２ｎが第２のネットワーク２０（例えば第２の通信事業者２０ＺのＩＰ網）の加入端末である例について説明する。
従来の通信システム（第１のＶｏＩＰアダプタ７４が無い場合）では、電話機７２ａから、第１のネットワーク１０の任意の加入端末（電話機）への呼び出しを行うと、第１のルータ７５は、電話機７２ａからの第１のネットワーク１０の任意の加入端末（電話機）への呼び出しを検知して、第１のサーバ１０Ｓが電話機７２ａを第１のネットワーク１０に接続するように動作する。
なお、この動作は既存のＩＰ電話の動作であるので説明を省略する。この場合、同一の第１のネットワーク１０の加入端末（電話機）同士で行う通話であるため、その通話料は発生しないのが一般的である。
【００１５】
また従来の通信システム（第１のＶｏＩＰアダプタ７４が無い場合）では、電話機７２ａから、第２のネットワーク２０の加入端末である電話機８２ａへの呼び出しを行うと、第１のルータ７５は、電話機７２ａからの第２のネットワーク２０の電話機８２ａへの呼び出しを検知して、電話機７２ａを第１のネットワーク１０に接続するように動作する。この場合、第１のサーバ１０Ｓから第２のサーバ２０Ｓまでの通話経路は、第１のサーバ１０Ｓ、第１のネットワーク１０、ネットワーク接続手段５０（例えば第１のネットワーク１０と第２のネットワーク２０とを接続するサーバ）、第２のネットワーク２０、第２のサーバ２０Ｓという通話経路となる。
なお、この動作は既存のＩＰ電話の動作であるので説明を省略する。この場合、異なるネットワークの加入端末（電話機）同士で行う通話であり、ネットワークの相互乗り入れが必要であるため、その通話料が発生し、発信側に課金されることが一般的である。なお、ＰＣ７７ａ等から第３のネットワーク３０からデータを受信（Ｗｅｂ閲覧等）したり、ＰＣ７７ａ等から第３のネットワーク３０にデータを送信（メール送信等）したりするのは無料であるのが一般的である。
本実施の形態にて説明する通信システム及びＶｏＩＰアダプタは、この第３のネットワーク３０に着目し、異なるネットワーク（異なるＩＰ網）の加入端末（電話機）同士で行う通話の通話料を、この第３のネットワーク３０を利用することで無料またはより低料金で提供することができる。
【００１６】
●［通話経路の形成（図２、図３、図４）］
電話機７２ａと電話機８２ａとの通話経路を、第１のネットワーク１０とネットワーク接続手段５０と第２のネットワーク２０にて形成すると、ネットワーク間の相互乗り入れにて通話料金が発生するので、第３のネットワーク（例えば第３の通信事業者３０ＺのＩＰ網）を利用する。第３のネットワーク３０を利用するためには、電話機７２ａ〜７２ｎと電話機８２ａ〜８２ｎとの間で通話を行う場合、電話機からの音声データをＰＣからのパケットデータの形式に変換し、第１のルータ７５及び第２のルータ８５にて、ＰＣのパケットデータとして扱えるようにしてやればよい。
次に図２を用いて、この第３のネットワーク３０を利用して電話機７２ａ（発信側電話機に相当）からの呼び出しにて電話機７２ａと電話機８２ａ（着信側電話機に相当）とを通話可能に接続する通話経路の形成手順について説明する。
利用者が、電話機７２ａから電話機８２ａの電話番号を入力すると、入力された電話番号は第１の構内交換機７３を介して第１のＶｏＩＰアダプタ７４にて受信される。
なお、図４（Ａ）は電話機７２ａから電話機８２ａにデータを送信する場合の第１のＶｏＩＰアダプタ７４の動作を示しており、図４（Ｂ）は電話機８２ａが電話機７２ａからデータを受信する場合の第２のＶｏＩＰアダプタ８４の動作を示している。
本発明の第１のＶｏＩＰアダプタ７４（第２のＶｏＩＰアダプタ８４も同様）は、図４（Ａ）及び（Ｂ）に示すように、電話機からの音声データの経路を切り換える切替手段７４ｓ（８４ｓ）を備えている。また、接続された電話機７２ａからの音声データ（経路Ｌａｐからの音声データ）と、第１のルータ７５のデータ変換手段７５ｂ（８５ｂ）から入力される音声データ（経路Ｌａｒからの音声データ）と、接続されたＰＣ７７ａ〜７７ｎが送受信しているパケットデータ（経路Ｌｄｒからのパケットデータ）と、を監視して切替手段７４ｓ（８４ｓ）を切替える制御手段７４ａ（８４ａ）を備えている。
【００１７】
第１のＶｏＩＰアダプタ７４は、受信した電話番号に応じたネットワーク情報を含む接続情報を呼出情報提供手段３０Ｓ（例えば第３のサーバ）に要求する（図２参照）。図２に示すように、この接続情報の要求（メッセージ）は、第１のＶｏＩＰアダプタ７４から第１のルータ７５、第１のサーバ１０Ｓ、第３のネットワーク３０を経由して呼出情報提供手段３０Ｓにて受信される。
第１のＶｏＩＰアダプタ７４には、図３（Ａ）に示すように、（入力された）電話番号（例えば電話機８２ａの電話番号「Ａ１」）に対する問合せ先（例えば呼出情報提供手段３０ＳのＩＰアドレス「ＲＳ１」）が登録された問合せ情報７４ａが記憶されている。この場合、第１のＶｏＩＰアダプタ７４は、電話機７２ａから入力された電話番号を受信すると、受信した電話番号と問合せ情報７４ａとを照合し、一致する電話番号に対する問合せ先を抽出し、抽出した問合せ先（例えば問合せ先に記憶されているＩＰアドレス宛）に、受信した電話番号を含む接続先要求情報を送信して、接続情報を要求する。
図４（Ａ）に示すように、第１のＶｏＩＰアダプタ７４の制御手段７４ａは、第１の構内交換機７３からの音声データ（経路Ｌａｐからの音声データ）から入力された電話番号を検知することができ、接続先要求情報をパケットデータにしてＰＣ７７ａ等と同様に第１のルータ７５に送信する（この場合、パケットデータの宛先は「ＲＳ１」）。また、前記照合が一致した場合、第３のネットワーク３０を利用した通話経路を形成するために、制御手段７４ａは切替手段７４ｓをデータ変換手段７４ｂ側（図４（Ａ）では下側）に切替える。これにより、電話機からの音声データとして第１のネットワーク１０及び電話網４０にて通話経路を形成されないようにする。
なお、前記照合が一致しない場合は、切替手段７４ｓを上側に切替えて、従来と同様に音声データが第１のルータ７５のデータ変換手段７５ｂに入力されるようにする（経路Ｌａｐと経路Ｌａｒを接続する）。この場合、第１のＶｏＩＰアダプタ７４は、スルー状態となり、経路Ｌａｐからの音声データは、そのまま第１のルータ７５に入力される（スルー状態であるため、従来と同じ経路で同じデータが入力される）。
第１のＶｏＩＰアダプタ７４に記憶されている問合せ情報７４ａ、及び接続先要求情報を制御手段７４ａから送信するプログラムが、接続された電話機（この場合、電話機７２ａ）からの呼び出し相手の電話番号に応じたネットワーク情報（この場合、下記の第２のルータ８５のＩＰアドレス）を含む接続情報を取得する接続先情報取得手段に相当する。
【００１８】
呼出情報提供手段３０Ｓには、図３（Ｂ）に示すように、電話番号（例えば電話機８２ａの電話番号「Ａ１」）に対する接続先（例えば電話機８２ａが接続されている第２のルータ８５のＩＰアドレス）が登録された接続先管理情報３０Ｓａが記憶されている。この場合、呼出情報提供手段３０Ｓは、第１のＶｏＩＰアダプタ７４から接続先要求情報を受信すると、受信した接続先要求情報に含まれている電話番号と接続先管理情報３０Ｓａとを照合し、一致する電話番号に対するＩＰアドレス（接続先を示すネットワーク情報に相当）を抽出し、抽出したＩＰアドレスを含む接続情報を第１のＶｏＩＰアダプタ７４に送信する。なお、この接続情報は、呼出情報提供手段３０Ｓから第３のネットワーク３０、第１のサーバ１０Ｓ、第１のルータ７５を経由して第１のＶｏＩＰアダプタ７４にて受信される。
この動作を図４（Ａ）を用いて説明する。呼出情報提供手段３０Ｓから送信された接続情報（第１のＶｏＩＰアダプタ７４宛てのパケットデータ）は、第１のルータ７５にてＰＣ７７ａ等のパケットデータと認識され、経路Ｌｄｒに送出される。そして制御手段７４ａは経路Ｌｄｒから接続情報を受信することができる。
【００１９】
第１のＶｏＩＰアダプタ７４は、接続情報を受信すると、受信した接続情報に含まれているＩＰアドレス宛に接続要求（呼び出し）を行う。この場合、第１のＶｏＩＰアダプタ７４は、呼出メッセージのパケットに第２のルータ８５のＩＰアドレスを追加する。
この動作を図４（Ａ）を用いて説明する。制御手段７４ａは、第２のルータ８５のＩＰアドレスを宛先とした呼出メッセージのパケットデータを作成して経路Ｌｄｒから第１のルータ７５を介して送信する。このパケットデータは、ＰＣ７７ａ等が利用するパケットデータと同じ形式としているので、第１のサーバ１０Ｓは、受信したパケットデータを第３のネットワーク３０に送出する。
【００２０】
なお、この接続要求（発信側電話機からの着信側電話機の呼び出し）は、第１のＶｏＩＰアダプタ７４から第１のルータ７５、第１のサーバ１０Ｓ、第３のネットワーク３０、第２のサーバ２０Ｓを経由して第２のルータ８５にて受信される。そして接続要求（呼び出し）は、第２のルータ８５から第２のＶｏＩＰアダプタ８４、第２の構内交換機８３を介して電話機８２ａに届く。
そして電話機８２ａの受話器が取られて接続要求に応じると通話経路が形成される。この場合、図２に示すように、電話機７２ａ（発信側電話機）、第１の構内交換機７３、第１のＶｏＩＰアダプタ７４、第１のルータ７５、第１のサーバ１０Ｓ、第３のネットワーク３０、第２のサーバ２０Ｓ、第２のルータ８５、第２のＶｏＩＰアダプタ８４、第２の構内交換機８３、電話機８２ａ（着信側電話機）という通話経路が形成される。
第１のＶｏＩＰアダプタ７４が接続情報に含まれているネットワーク情報（接続先）に基づいて呼び出しを行うプログラムが、接続先選択手段に相当する。
また、第１のＶｏＩＰアダプタ７４が呼び出しの際に選択したネットワーク（相手がＩＰ電話でない場合は電話網４０、相手がＩＰ電話かつ接続情報を取得できた場合は第３のネットワーク３０、相手がそれ以外のＩＰ電話の場合は第１のネットワーク１０）に電話機７２ａを接続するプログラムが、（発信の際に）選択したネットワークに電話機を接続可能とする（発信の際の）接続手段に相当する。
また、第２のＶｏＩＰアダプタ８４にて、第２のネットワーク２０から呼び出しがあった場合には第２のネットワーク２０に接続し、第３のネットワーク３０から呼び出しがあった場合には第３のネットワーク３０に接続するプログラムが、（着信の際の）接続手段に相当する。
【００２１】
以上の説明にて、第３のネットワーク３０を経由して電話機７２ａと電話機８２ａとで通話が可能な通話経路を形成することができる。
通話経路が形成された後、音声データはパケットデータに変換されて第３のネットワーク３０にて運ばれる。
次に図４（Ａ）及び（Ｂ）を用いて、電話機７２ａから入力された音声データが、電話機８２ａから出力される動作を説明する。
制御手段７４は、電話機７２ａと電話機８２ａとの通話経路を形成したことを認識しているので、電話機７２ａからの音声データが経路Ｌａｐから入力されると、切替手段７４ｓを下側に切替えて、経路Ｌａｐと経路Ｌａｒを開放し、音声データをデータ変換手段７４ｂに入力する。データ変換手段７４ｂは、入力された音声データをパケットデータに変換して経路Ｌｄｒに送出し、第１のルータ７５に入力する。第１のルータ７５は、経路Ｌｄｒから入力されたパケットデータをＰＣ７７ａ等からのパケットデータと認識して第１のサーバ１０Ｓに送信する。
第１のサーバ１０Ｓは受信したパケットデータを電話機からのパケットデータでなくＰＣからのパケットデータであると認識し、第３のネットワーク３０に送出する。そしてそのパケットデータの宛先は第２のルータ８５である。従って、当該パケットデータは、第３のネットワーク３０から第２のサーバ２０Ｓを経由して第２のルータ８５に届けられる。
当該パケットデータを受信した第２のルータ８５は、ＰＣからのパケットデータであると認識すると、経路Ｌｄｒに送出する（図４（Ｂ）参照）。すると制御手段８４ａは、経路Ｌｄｒから当該パケットデータは、先ほど通話経路を形成した第１のＶｏＩＰアダプタ７４からの音声データのパケットデータであることを認識し、切替手段８４ｓを下側に切替えて経路Ｌａｐと経路Ｌａｒを開放し、経路Ｌａｐにデータ変換手段８４ｂを接続する。データ変換手段８４ｂは、経路Ｌｄｒから音声データのパケットデータが入力されると、パケットデータを音声データに変換（復元）して経路Ｌａｐに送出する。そして経路Ｌａｐに送出された音声データは、第２の構内交換機８３を介して電話機８２ａに届けられる。
【００２２】
以上に説明した本実施の形態では、第１のネットワーク１０の加入端末である電話機７２ａから、従来の通信システムでは通話料金が発生してしまう第２のネットワークの加入端末である電話機８２ａと通話する場合、通話料金がより低料金または無料に設定された第３のネットワーク３０を経由して通話経路を形成するように構成したものである。
従来のＩＰ電話では、ＩＰ網と電話網（ＰＳＴＮ）の切り換え（選択）しかなかったため、上記電話機７２ａから上記電話機８２ａと通話する場合、ＩＰ網が選択されるが、通話料金が発生していた。本実施の形態では、ＩＰ網においても複数のＩＰ網の中から適切なＩＰ網を選択可能としたものである。
なお、本実施の形態の説明では、電話機７２ａを発信側電話機、電話機８２ａを着信側電話機として説明したが、発信側電話機と着信側電話機とを逆にしても同様に通話経路を形成することができる。
【００２３】
なお、本実施の形態にて説明した通信システムでは、第１のＶｏＩＰアダプタ７４は、問合せ情報７４ａに登録されている電話番号であっても、呼出情報提供手段３０Ｓからの接続情報が取得できなかった場合、第３のネットワーク３０からの通話経路の形成を中止して、第１のネットワーク１０に電話機７２ａを接続する。このように、迂回経路として用意した第３のネットワーク３０の側に何らかのトラブルが発生した場合、迂回される前の通話経路を自動的に形成することができるので、通信の信頼性をより向上させることができる。
本実施の形態の説明では、問合せ情報７４ａ、接続先管理情報３０Ｓａにおける電話機８２ａの電話番号を実際の電話機８２ａの電話番号としたが、問合せ情報７４ａと接続先管理情報３０Ｓａの両方を変更すれば、任意の番号（例えば、任意の短縮番号や、任意の内線番号等）にて、第３のネットワーク３０を経由して電話機８２ａと通話することが可能となる。
【００２４】
本発明の通信システム及びＶｏＩＰアダプタは、本実施の形態で説明した構成、処理、動作等に限定されず、本発明の要旨を変更しない範囲で種々の変更、追加、削除が可能である。
本実施の形態の説明では、第１の構内交換機７３、第２の構内交換機８３を記載しているが、本発明の通信システムでは、第１の構内交換機７３、第２の構内交換機８３がない構成であっても構わない。
本実施の形態の説明では、第１のＶｏＩＰアダプタ７４と第１のルータ７５を別体で構成した例を示したが、第１のＶｏＩＰアダプタ７４と第１のルータ７５を一体で構成してもよい。
また、呼出情報提供手段３０Ｓの機能を第１のＶｏＩＰアダプタ７４に持たせることもできる（この場合、呼出情報提供手段３０を省略することができる）。この場合、第１のＶｏＩＰアダプタ７４は、問合せ情報７４ａの代わりに接続先管理情報３０Ｓａを記憶している。そして電話機から電話番号が入力されると、入力された電話番号と接続先管理情報３０Ｓａの電話番号とを照合し、一致した電話番号に対応する接続先を接続先管理情報３０Ｓａから抽出すればよい。
【図面の簡単な説明】
【００２５】
【図１】本発明のＶｏＩＰアダプタ７４、８４を用いた通信システムの全体構成の一実施の形態を説明する図である。
【図２】第３のネットワーク３０を経由して通話経路を形成する手順を説明する図である。
【図３】問合せ情報７４ａ、接続先管理情報３０Ｓａの例を説明する図である。
【図４】電話機７２ａから入力された音声データが電話機８２ａから出力されるまでの経路及び動作を説明する図である。
【図５】従来のルータ（第１のルータ７５、第２のルータ８５）の動作を説明する図である。
【符号の説明】
【００２６】
１        通信ネットワーク
１０      第１のネットワーク
１０Ｓ    第１のサーバ
２０      第２のネットワーク
２０Ｓ    第２のサーバ
３０      第３のネットワーク
３０Ｓ    呼出情報提供手段
４０      電話網（ＰＳＴＮ、携帯電話網）
５０      ネットワーク接続手段
７２ａ〜７２ｎ    電話機
７３      第１の構内交換機（ＰＢＸ）
７４      第１のＶｏＩＰアダプタ
７５      第１のルータ
８２ａ〜８２ｎ    電話機
８３      第２の構内交換機（ＰＢＸ）
８４      第２のＶｏＩＰアダプタ
８５      第２のルータ
【図１】
2007180737.tif 000003
【図２】
2007180737.tif 000004
【図３】
2007180737.tif 000005
【図４】
2007180737.tif 000006
【図５】
2007180737.tif 000007